(57)【要約】      （修正有）【課題】真空シリンダピストンとピストンの駆動装置との連結構造の簡素化による真空シリンダの省スペース化である。【解決手段】空力で可動し上端に面壁を備える中空円筒体７の下端に真空シリンダ１のピストン４を接合し、中空円筒体の中にロッド５で固定した円板６を設置して２つの空気室を形成し、中空円筒体上端の面壁とロッドの長手方向に空気通路５ａ，５ｂを備えて２つの空気室にそれぞれ導通し外部設置の空力源と連通させ、前記円板が仕切る円板の上面側と下面側の空気室に圧力空気の供給を交互に行えば、他方の空気室は排気をして中空円筒体と真空シリンダのピストンは往復動し真空シリンダ内に真空室４ａを形成する。かくして、該真空シリンダピストンの駆動装置を真空シリンダ外部に構成設置することなく、省スペースが可能になる。【選択図】図１
2011190790.tif 000002
【特許請求の範囲】
【請求項１】
シリンダのピストンとピストンの駆動装置が一体形を構成して成るシリンダの構造で、空力で可動する中空円筒体の上端を面壁で密封し、下端にシリンダのピストンを接合してシリンダ内の円心に装着し、シリンダのロッドカバーに中空円筒体が出入可能な孔を穿ち、中空円筒体内の空間を２つの空気室に仕分ける円板を、シリンダのヘッドカバーに固定し且つ１つの空気通路を備えたロッドの先端にシリンダのロッドカバーの高さ位置で固定し、中空円筒体上端の面壁に外部空気配管と連通接続する孔を１個処穿つと共に、前記ロッドの空気通路を円板の下面側に導通させ、中空円筒体内に形成された２つの空気室に圧力空気の供給と排気を交互に行わしめて、中空円筒体と中空円筒体に接合するピストンを往復動させ、シリンダ内に真空室を形成する構造を特徴とする真空シリンダ。
【請求項２】
請求項１に記載の前記中空円筒体への空気通路は、前記中空円筒体の上端の面壁に穿った孔を閉塞して、前記ロッドの下端面から２つの孔をロッドの長手方向に穿って、１つの孔を前記円板の上面側に開口し、他の孔を円板の下面側に開口して、２つの孔はシリンダの外部設置の方向制御弁を通じて空力源と連通し、前記中空円筒体に給排気を行う空気通路の構造を特徴とする請求項１に記載の真空シリンダ。
【発明の詳細な説明】
【技術分野】
【０００１】  本発明は、密閉構造のシリンダのピストンを往復動させてシリンダ内に真空室を形成する真空シリンダに関する。
【先行技術文献】
【特許文献】
【特許文献】  なお、本発明に関連する公知技術として次の特許文献１を挙げることができる。
【０００２】
【特許文献１】特開平８−８６２８１
【発明の概要】
【発明が解決しようとする課題】
【０００３】  密閉したシリンダ内のピストンの移動で広がった空間が真空になることは知られた技術である。又、シリンダのピストンを駆動する方法も色々と紹介されているが、従来からの方法はおしなべてシリンダとピストンが形成する真空室の内容積が小さいシリンダに適したものである。
本発明の真空シリンダは、シリンダ内に形成する真空室の容積を３０ｌ〜４０ｌ程度確保する真空タンクを兼ねたサイズであり、シリンダの内径及びピストンロッドのストロークもそれなりの大きさが必要である。従って、従来紹介されているピストンの駆動構造をそのまま踏襲して援用することは現実的には無理があり、特にスペース的な課題が残る。【０００４】  本発明は、このような点に鑑みて成されたものであり、その目的は、真空シリンダのピストンとピストンを稼動させる駆動装置との連結構造を簡素化して省スペース化を計り、しかも大きな真空室を形成できる真空シリンダの提供である。
【課題を解決するための手段】
【０００５】  真空シリンダのピストンとピストンの駆動装置を一体形に構成して、真空シリンダ内に装着する構造によって本発明の上記目的は達成される。すなわち、駆動装置は空力で可動する中空円筒体と、中空円筒体の上端は面壁を備え、下端には真空シリンダのピストンを接合した構造と、前記中空円筒体の内部は空間を２つに仕切る円板と円板を支えるロッドを真空シリンダのヘッドカバーに固定して、真空シリンダのロッドカバーに可動する中空円筒体が出入する孔を備え、前記円板が中空円筒体内に形成する２つの空気室に連通する空気通路を備えた構造である。【０００６】  前述した中空円筒体空気室に連通する空気通路は、中空円筒体の中を２つに仕切る円板の上面側空間と下面側空間にそれぞれ１個所ずつ開口して、上面側空気室に圧力空気を供給すれば下面側空気室は排気を行い、中空円筒体は空力によって真空シリンダのピストンを伴って上昇し、真空シリンダ内に真空室を拡大する。真空シリンダの外部に設置する方向制御弁によって圧力空気の供給方向を前記円板の下面側に切り換えれば円板の上面側は排気を行い、中空円筒体と真空シリンダのピストンは下降する。すなわち、中空円筒体と真空シリンダピストンの往復動は、前記円板で仕分けされた中空円筒体空気室への給排気を交互に切り換える制御によって行われる。【０００７】  前述した中空円筒体への空気通路の構造は、中空円筒体上端の面壁に１つの孔を穿って外部の空気配管と連通するポートを設置して、中空円筒体の内部を２つに仕切る円板の上面側空気室に導通し、円板を支えるロッドの下端面にロッドの長手方向に孔を１つ穿って円板の下面側空気室に開口する構造と、若しくは中空円筒体上端の面壁に備えた外部の空気配管と連通するポートを閉塞密封して、前記ロッドの下端面から２つの孔をロッドの長手方向に穿って、一つの孔を前記円板の上面側空気室に開口し、他の一孔を円板の下面側空気室に開口する構造と、２通りの空気通路の構造があるが、どちらを選択しても中空円筒体への給排気の機能に差異は生じない。
【図面の簡単な説明】
【０００８】
【図１】該真空シリンダの概略断面図である。
【図２】該真空シリンダの概略断面図である。
【発明を実施するための形態】
【０００９】  以下、本発明の実施の形態を図面に基づき詳細に説明する。
【００１０】  真空シリンダピストンと一体形を構成し且つ共に往復動する駆動装置の詳細を、図１に基づいて説明する。該真空シリンダ１のピストン４の駆動装置は、中空円筒体７の上端に面壁８を備え、下端にピストン４を接合して中空円筒体７の気密性を保つシールと、ロッドカバー３には中空円筒体７が出入可能な孔を備え、中空円筒体７の内側にロッドカバー３と同じ高さ位置に円板６をロッド５に固定して中空円筒体７の空間を２つに仕切って空気室とし、空気通路５ａを面壁８に設け、又、ロッド５の下端面から円板６の下面側に導通する空気通路５ｂを穿って、圧力空気を２つの空気通路から交互に給排気させて中空円筒体７とそれに付置するピストン４を往復動させる。
【００１１】  中空円筒体７の空気室７ａに導通する空気通路は、円板６を支えるロッド５に２本の導通孔を穿った構造でもよく、空気室７ａへの給排気の機能を損なうものではない。すなわち、図２に基づいて説明すれば、前述した中空円筒体７の面壁８に設置した空気通路５ａを閉塞密封し、ロッド５の下端面から長手方向に２つの孔を平行に穿ち、１つの孔１３ａを円板６の上面側に開口し、他の孔１３ｂを円板６の下面側に開口する。このような構造において、圧力空気を空気通路１３ａから円板の上面側に供給すれば中空円筒体７の空気室７ａは圧力空気で膨満し、中空円筒体７が真空シリンダ１のロッドカバー３から突出して上昇しピストン４も中空円筒体７と共に上昇する。このとき円板６の下面側の空気は空気通路１３ｂから排気される。
【００１２】  本発明の真空シリンダ１のピストン４は、往動時復動時ともに真空室４ａをシリンダ内に形成するが、真空室の容積はピストンの往動時と復動時とは同じではなく、ピストンが下降する復動時は中空円筒体７の体積分ピストンが上昇する往動時より小さくなる。又、ピストン４が往復動するときの、真空シリンダ１の真空吸入と排気の各ポートの開閉制御は真空シリンダ外に設置する４つの弁によって制御される。すなわち、ピストンが上昇する往動時は真空吸入弁１１と排気弁１２ａは開であり、真空吸入弁１１ａと排気弁１２は閉である。ピストンが下降する復動時は真空吸入弁１１ａと排気弁１２が開になり、真空吸入弁１１と排気弁１２ａは閉となって真空室を形成する。
【符号の説明】
【００１３】１  真空シリンダ
２  ヘッドカバー
３  ロッドカバー
４  ピストン
４ａ  真空室
５  ロッド
５ａ・５ｂ  空気通路
６  円板
７  中空円筒体
８  面壁
９・９ａ  真空吸入孔
１０・１０ａ  排気孔
１１・１１ａ  真空吸入弁
１２・１２ａ  排気弁
１３ａ・１３ｂ  空気通路
【図１】
2011190790.tif 000003
【図２】
2011190790.tif 000004